(57)【要約】【課題】    ヘッドバンドが所謂「カチューシャ」と称するヘアバンドの趣を備えたものであって、興味ある美感を有する耳あて装置を提供すること。【解決手段】    耳当て装置が、帯状体に形成したヘッドバンド１０と、ヘッドバンドの自由端に設けた耳あてカップ２０とからなる。ヘッドバンド１０は正面アーチ型を呈しており人の頭部に合致する湾曲形状であり、耳あてカップ２０は断面椀状に形成されていて保温カバー３０を被覆するものである。ヘッドバンド１０を構成するバンド体の先端に係合爪を設け、耳あてカップ２０を構成するカップ部材にバンド体の係合爪と係合させるバンド係合口を設け、ヘッドバンドと耳あてカップを係合して両者を結合する。ヘッドバンド１０は断面形状を小さくして細身に形成することで、ヘッドバンドが所謂「カチューシャ」と称するヘアバンドの趣を有する。【選択図】    図１
0003164096.tif 000002
【実用新案登録請求の範囲】
【請求項１】
耳当て装置が、帯状体に形成したヘッドバンド（１０）と、該ヘッドバンドの自由端に設けた耳あてカップ（２０）とからなり、上記ヘッドバンドが正面アーチ型を呈しており人の頭部に合致する湾曲形状であり、上記耳あてカップが断面椀状に形成されていて保温カバー（３０）を被覆するものであり、上記ヘッドバンド（１０）を構成するバンド体（１００）の先端に係合爪（１０１）を設け、上記耳あてカップ（２０）を構成するカップ部材（２００）に上記バンド体の係合爪と係合させるバンド係合口（２０３）を設け、上記ヘッドバンドの上記係合爪を上記耳あてカップの上記バンド係合口に係合して両者を結合するものであって、上記ヘッドバンドは断面形状を小さくして細身に形成することにより、当該ヘッドバンドが所謂「カチューシャ」と称するヘアバンドの趣を有することを特徴とする耳あて装置。
【考案の詳細な説明】
【技術分野】
【０００１】
本考案は、耳あて装置に関しており、さらに詳しくは、ヘッドバンドの両端に耳保温カップを設けた構造の耳あて装置であって、ヘッドバンドが、所謂「カチューシャ」と称するヘアバンドの趣を有する耳あて装置に関している。
【背景技術】
【０００２】
耳あて装置が、人の頭部形状に沿って湾曲しているヘッドバンドを有しており、ヘッドバンドの先端位置に設けた耳保温カップを装着したものは古くから知られている。
【０００３】
従来公知の耳あて装置において、ヘッドバンドを人の頭部に装着した時に、耳保温カップを耳部に正しく当接させるために、ヘッドバンドの長さを調整可能にしたものが提案されている。
【先行技術文献】
【特許文献】
【０００４】
【特許文献１】特開平１０−７９９９４号公報
【特許文献２】特開２００２−１１０３６号公報
【０００５】
特許文献１の図２６に記載のヘッドバンド（可撓性バンド１８）は、バンド部材（半円状第１部材１５４，半円状第２部材１５６）の一方の先端にリング環（被包部分１５８，１６０）を設け、バンド部材の他端を相手方のリング環に挿入したものであり、いずれもバンド部材の先端に耳あてカップ（耳カップ１６４）を設けたものである。
【０００６】
また、特許文献２の図１，２に記載のヘッドバンド（１０）は、バンド部材（１１，１１ａ）の一方の先端にリング体（１２，１２ａ）を設け、バンド部材の他端を相手方のリング体に挿入したものであって、いずれのバンド部材の先端に耳あてカップ（１４）を設けたものである。
【０００７】
特許文献１及び２に記載のヘッドバンドは、バンドの長さ調整を可能にしたものであるから、耳保温カップを人の耳部に適格に位置させることはできるが、機能的な構造が優先されているものであった。
【考案の概要】
【考案が解決しようとする課題】
【０００８】
本考案の課題は、ヘッドバンドが所謂「カチューシャ」と称するヘアバンドの趣を備えたものであって、頭飾品としての美感を有する耳あて装置を提供することである。
【課題を解決するための手段】
【０００９】
解決手段の第１は、耳あて装置が、帯状体に形成したヘッドバンドと、該ヘッドバンドの自由端に設けた耳あてカップとからなり、上記ヘッドバンドが正面アーチ型を呈しており人の頭部に合致する湾曲形状であり、上記耳あてカップが断面椀状に形成されていて保温カバーを被覆するものであり、上記ヘッドバンドを構成するバンド体の先端位置に係合爪を設け、上記耳あてカップを構成するカップ部材に上記バンド体の係合爪と係合させるバンド係合口を設け、上記ヘッドバンドの上記係合爪と上記耳あてカップの上記バンド係合口を係合して両者を結合するものであって、上記ヘッドバンドは断面形状を小さくして細身に形成することにより、当該ヘッドバンドが所謂「カチューシャ」と称するヘアバンドの趣を有することを特徴とするものである。
【考案の効果】
【００１０】
請求項１は、ヘッドバンドの断面形状を小さくしてヘッドバンドを細身に形成することで、頭部に装着した場合に、所謂「カチューシャ」と称するヘアバンドの趣を有するものであるから、頭飾品としての美感を有することの他、カバン等のアクセサリーとして持ち歩いてもよく、利用範囲の広いものであることの効果を奏する。
【図面の簡単な説明】
【００１１】
【図１】耳あて装置の全体を示す正面図。
【図２】ヘッドバンドを示す斜視図。
【図３】ヘッドバンドの中央縦断面図。
【図４】ヘッドバンドと耳あてカップを示す斜視図。
【図５】ヘッドバンドと耳あてカップの結合状態を示す断面図。
【考案を実施するための形態】
【００１２】
図１において、耳あて装置１は、帯状体に形成されたヘッドバンド１０と該ヘッドバンド１０の自由端に設けた耳あてカップ２０とからなり、ヘッドバンド１０が、正面アーチ型を呈しており、人の頭部に合致する湾曲形状に形成されており、また、耳あてカップ２０が、断面椀状に形成されており、布製の保温カバー３０を被覆して耳保温カップ構造４０を形成するものである。
【００１３】
実施形態において、ヘッドバンド１０と耳あてカップ２０は、いずれもプラスチックの成型品である。
【００１４】
図２，３において、ヘッドバンド１０は、ヘッドバンドを構成するバンド体１００の両先端に耳あてカップ２０と結合する係合爪１０１を形成したものである。なお、ヘッドバンド１０は、断面形状を小さくして細身に形成したものであって、所謂「カチューシャ」と称するヘアバンドの趣を有するものである。
【００１５】
図４，５において、耳あてカップ２０は、断面形状が椀型を呈するカップ部材２００を有し、カップの周側壁を構成する立ち上り部２０１に、ヘッドバンド１０を挿入するためのバンド挿入口２０２を形成し、また、カップ部材２００の底部に上記バンド挿入口２０２と対応させた位置にバンド係合口２０３を設けたものであって、当該バンド係合口２０３は、バンド体１００の断面形状と略一致させた大きさに形成されている。なお、バンド体１００とカップ部材２００の結合を安定よく維持するために、バンド体１００と同程度の溝幅を有するバンド保持ガイド２０４をバンド係合口２０３に隣接して設けている。
【００１６】
図中、２１０はカップ部材２００に設けた通気透孔であって、耳あて装置１を装着した時に外部の音を通過させることができ、耳あての装着者が外部からの音を聞き取りやすくするものである。また、２２０は耳あてカップ２０（カップ部材２００）を被覆した保温カバー３０の開口部をカップ内に挿入するための保温カバー挿入口である。
【００１７】
なお、上記保温カバー３０は、保温効果が高い布地で形成されるものであり、通常は、一端を開口させた袋状に縫製し、カップ部材２００を被覆した後、開口部を保温カバー挿入口２２０からカップ内部に差し込んでおくものである。
【００１８】
本考案は上記のような構成になるものであり、まず、保温カバー３０に、カップ部材２００を被覆したときに、該カップ部材２００のバンド挿入口２０２に対応する位置にヘッドバンド１０を挿入できる切込み又は透孔（いずれも図示しない）を設けておく。次いで耳あて装置１を組み立てるには、保温カバー３０が被覆されたカップ部材２００のバンド挿入口２０２からヘッドバンド１０を差し込み、バンド体１００の先端に形成した係合爪１０１がバンド係合口２０３を越える位置まで挿入する。
【００１９】
ヘッドバンド１０は、係合爪１０１がカップ部材２００のバンド係合口２０３を越えると、当該係合爪１０１がバンド係合口２０３と係合して脱出不可となり、両者は結合されて耳あて装置が構成される。
【００２０】
本考案の耳当て装置は、ヘッドバンド１０が断面形状を小さくして細身に形成されたものであるから、所謂「カチューシャ」と称するヘアバンドの趣を有するものであり、頭飾品としての美感を有するものである。
【００２１】
また、本考案の耳あて装置は、ヘッドバンド１０が細身に形成されているので、耳覆いとしてだけでなく、カバン等のアクセサリーとして持ち歩いてもよく利用範囲が広いものとなっている。
【符号の説明】
【００２２】
１  耳あて装置
１０  ヘッドバンド
２０  耳あてカップ
２００  カップ部材
２０１  立ち上り部
２０２  バンド挿入口
２０３  バンド係合口
２０４  バンド保持ガイド
２１０  通気透孔
２２０  保温カバー挿入口
３０  保温カバー
４０  耳保温カップ構造
【図１】
0003164096.tif 000003
【図２】
0003164096.tif 000004
【図３】
0003164096.tif 000005
【図４】
0003164096.tif 000006
【図５】
0003164096.tif 000007